【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
搬送されてくるシート媒体を排出する排出手段と、この排出手段により排出されるシート媒体を積載する積載手段と、前記シート媒体の排出方向と直交するシフト方向に前記積載手段を所定量移動する移動手段と、前記シート媒体の排出方向と平行なシート媒体の側端部を挟むように接して前記積載手段上のシート媒体を揃える揃え部材と、排出されたシート媒体を仕分けするシフト動作時に前記揃え部材を回転軸回りに回転駆動させて前記シート媒体の排出方向に垂直な方向に前記揃え部材を退避させる退避手段と、を備え、
前記揃え部材は、用紙を排出していないときに、前記積載手段に積載された用紙の搬送方向に直交する用紙の用紙端部の内側上面を押え、前記積載手段に用紙が仕分けされて積載されている場合、仕分け量分内側を押えることを特徴とするシート処理装置。
【請求項２】
前記積載手段に積載可能な最小用紙サイズの用紙の搬送方向で用紙の内側で、かつ仕分け量分用紙の内側を押えることを特徴とする請求項１に記載のシート処理装置。
【請求項３】
前記積載手段に積載される用紙のサイズを記憶し、前記積載手段に積載される用紙サイズによって押える位置を変更することを特徴とする請求項１に記載のシート処理装置。
【請求項４】
前記積載手段に積載される用紙のサイズを記憶し、前記積載手段に用紙のサイズが異なる場合には、積載された最小のサイズの用紙の搬送方向で用紙の内側で、かつオフセット量分用紙の内側を押えることを特徴とする請求項１に記載のシート処理装置。
【請求項５】
前記積載手段に用紙が積載されていない場合には、前記揃え部材による押さえは行わず、また、前記積載手段上に積載された用紙が取り除かれた場合に、前記揃え部材を待機位置へ戻すことを特徴とする請求項１〜４の何れか一つに記載のシート処理装置。
【請求項６】
前記積載手段に積載されている用紙を前記揃え部材で押えるときに、前記揃え部材を低速で動作させ用紙に接触させるようにしたことを特徴とする請求項１〜５の何れか一つに記載のシート処理装置。
【請求項７】
前記積載手段に積載されている用紙を前記揃え部材で押えている状態から、前記揃え部材を上方に離間させるときに、前記揃え部材を低速で動作させ前記揃え部材を用紙面から離間させるようにしたことを特徴とする請求項１〜６の何れか一つに記載のシート処理装置。
【請求項８】
前記積載手段に積載されている用紙を前記揃え部材で押えている状態から、前記揃え部材を上方に離間させるときに、複数の揃え部材のうちどちらか一方を先に用紙面から離間させ、その後、もう一方を用紙面から離間させることを特徴とする請求項１〜７の何れか一つに記載のシート処理装置。
【請求項９】
前記積載手段に積載されている用紙を押える前記揃え部材の用紙と接触する部分は面の構成を有していることを特徴とする請求項１〜８の何れか一つに記載のシート処理装置。
【請求項１０】
前記積載手段に積載されている用紙を前記揃え部材で押えている状態で、前記積載手段への用紙排出を行う場合、前記揃え部材を押えている位置から用紙揃え位置へ移動することを特徴とする請求項１〜９の何れか一つに記載のシート処理装置。
【手続補正２】
【補正対象書類名】明細書
【補正対象項目名】０００６
【補正方法】変更
【補正の内容】
【０００６】
上述した課題を解決し、目的を達成するために、請求項１にかかる発明は、搬送されてくるシート媒体を排出する排出手段と、この排出手段により排出されるシート媒体を積載する積載手段と、前記シート媒体の排出方向と直交するシフト方向に前記積載手段を所定量移動する移動手段と、前記シート媒体の排出方向と平行なシート媒体の側端部を挟むように接して前記積載手段上のシート媒体を揃える揃え部材と、排出されたシート媒体を仕分けするシフト動作時に前記揃え部材を回転軸回りに回転駆動させて前記シート媒体の排出方向に垂直な方向に前記揃え部材を退避させる退避手段と、を備え、前記揃え部材は、用紙を排出していないときに、前記積載手段に積載された用紙の搬送方向に直交する用紙の用紙端部の内側上面を押え、前記積載手段に用紙が仕分けされて積載されている場合、仕分け量分内側を押えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２にかかる発明は、請求項１に記載のシート処理装置において、前記積載手段に積載可能な最小用紙サイズの用紙の搬送方向で用紙の内側で、かつ仕分け量分用紙の内側を押えることを特徴とする。
【手続補正５】
【補正対象書類名】明細書
【補正対象項目名】０００９
【補正方法】変更
【補正の内容】
【０００９】
また、請求項３にかかる発明は、請求項１に記載のシート処理装置において、前記積載手段に積載される用紙のサイズを記憶し、前記積載手段に積載される用紙サイズによって押える位置を変更することを特徴とする。
【手続補正６】
【補正対象書類名】明細書
【補正対象項目名】００１０
【補正方法】変更
【補正の内容】
【００１０】
また、請求項４にかかる発明は、請求項１に記載のシート処理装置において、前記積載手段に積載される用紙のサイズを記憶し、前記積載手段に用紙のサイズが異なる場合には、積載された最小のサイズの用紙の搬送方向で用紙の内側で、かつオフセット量分用紙の内側を押えることを特徴とする。
【手続補正７】
【補正対象書類名】明細書
【補正対象項目名】００１１
【補正方法】変更
【補正の内容】
【００１１】
また、請求項５にかかる発明は、請求項１〜４の何れか一つに記載のシート処理装置において、前記積載手段に用紙が積載されていない場合には、前記揃え部材による押さえは行わず、また、前記積載手段上に積載された用紙が取り除かれた場合に、前記揃え部材を待機位置へ戻すことを特徴とする。
【手続補正８】
【補正対象書類名】明細書
【補正対象項目名】００１２
【補正方法】変更
【補正の内容】
【００１２】
また、請求項６にかかる発明は、請求項１〜５の何れか一つに記載のシート処理装置において、前記積載手段に積載されている用紙を前記揃え部材で押えるときに、前記揃え部材を低速で動作させ用紙に接触させるようにしたことを特徴とする。
【手続補正９】
【補正対象書類名】明細書
【補正対象項目名】００１３
【補正方法】変更
【補正の内容】
【００１３】
また、請求項７にかかる発明は、請求項１〜６の何れか一つに記載のシート処理装置において、前記積載手段に積載されている用紙を前記揃え部材で押えている状態から、前記揃え部材を上方に離間させるときに、前記揃え部材を低速で動作させ前記揃え部材を用紙面から離間させるようにしたことを特徴とする。
【手続補正１０】
【補正対象書類名】明細書
【補正対象項目名】００１４
【補正方法】変更
【補正の内容】
【００１４】
また、請求項８にかかる発明は、請求項１〜７の何れか一つに記載のシート処理装置において、前記積載手段に積載されている用紙を前記揃え部材で押えている状態から、前記揃え部材を上方に離間させるときに、複数の揃え部材のうちどちらか一方を先に用紙面から離間させ、その後、もう一方を用紙面から離間させることを特徴とする。
【手続補正１１】
【補正対象書類名】明細書
【補正対象項目名】００１５
【補正方法】変更
【補正の内容】
【００１５】
また、請求項９にかかる発明は、請求項１〜８の何れか一つに記載のシート処理装置において、前記積載手段に積載されている用紙を押える前記揃え部材の用紙と接触する部分は面の構成を有していることを特徴とする。
【手続補正１２】
【補正対象書類名】明細書
【補正対象項目名】００１６
【補正方法】変更
【補正の内容】
【００１６】
また、請求項１０にかかる発明は、請求項１〜９の何れか一つに記載のシート処理装置において、前記積載手段に積載されている用紙を前記揃え部材で押えている状態で、前記積載手段への用紙排出を行う場合、前記揃え部材を押えている位置から用紙揃え位置へ移動することを特徴とする。